(57)【要約】【課題】エアタンクを複数個設け、空気圧縮機から１個のエアタンクにのみ圧縮空気を充填して貯留できるように切り替えることにより、大量の圧縮空気が必要なときにも、少量の圧縮空気でも作業開始の時間を早めにしたいときにも対応する。【解決手段】複数のエアタンクを備え、空気圧縮機によって上記エアタンクの中の１つのエアタンク１に圧縮空気を貯留し、このエアタンク１から他のエアタンク２にエア供給管１４を介して圧縮空気を供給するとともに、上記エア供給管１４には、他のエアタンク２に圧縮空気を供給し又は停止させる切換手段１５を設けた。【選択図】図１
2008190334.tif 000002
【特許請求の範囲】
【請求項１】
複数のエアタンクを備え、空気圧縮機によって上記エアタンクの中の１つのエアタンクに圧縮空気を貯留し、このエアタンクから他のエアタンクにエア供給管を介して圧縮空気を供給するとともに、上記エア供給管には、他のエアタンクに圧縮空気を供給し又は停止させる切換手段を設けたことを特徴とするエアコンプレッサのエアタンク容量切替機構。
【請求項２】
上記１つのエアタンクから圧縮空気を外部に送るためのエア送給管と上記１つのエアタンクから他のエアタンクにエアを供給するための上記エア供給管とを、上記１つのエアタンクに形成した共通のエア取出し口から分岐させ、上記切替手段を分岐したエア供給管に設けたことを特徴とする、請求項１に記載のエアコンプレッサのエアタンク容量切替機構。
【発明の詳細な説明】
【技術分野】
【０００１】
本発明は、エアコンプレッサのエアタンク容量の大小を適宜切り替えることができるエアコンプレッサのエアタンク容量切替機構に関する。
【背景技術】
【０００２】
一般に、エアコンプレッサは建築現場で釘打機やドライバなどの空気圧工具と接続して使用される場合が多い。これらの空気圧工具はエアコンプレッサから供給された高圧の圧縮空気を駆動源として釘やネジを被打ち込み材に打込みあるいはねじ込むものであるが、釘打機の場合、釘を被打ち込み材に対して１本ずつ間隔をおいて打ち込む単発打ちと多数の釘を連続的に打ち込む連続打ちが行われる。単発打ちではエアコンプレッサ内のエアタンク内に貯留された圧縮空気の使用量よりも、エアコンプレッサの空気圧縮機からエアタンク内に供給される圧縮空気の供給量の方が大きいので問題はない。また、エアドライバを使用する場合、ネジが軸長の短いものであるときも同様に、圧縮空気の使用量よりも供給量の方が大きい。
【０００３】
ところが、釘打機を連続打ちで使用したとき、あるいはエアドライバで軸長の長いネジを使用したときには、大量の圧縮空気を使用するので、エアタンクに対する圧縮空気の使用量が供給量に追いつかない。このため、エアコンプレッサは、圧縮空気を大量に長く吐出させるため、エアタンクの容量を大きくすることが求められていた。
【特許文献１】特開２００４−７６８６４号公報
【特許文献２】特開２００６−１６２０４６号公報
【発明の開示】
【発明が解決しようとする課題】
【０００４】
しかしながら、エアタンクの容量を大きくすると、空気圧縮機によって圧縮空気をエアタンクに充填するための充填時間が長くなってしまい、エアコンプレッサのスイッチを入れてから作業を開始するまでの時間が遅れてしまうという問題がある。
【０００５】
また、作業終了後に釘の打ち直しやネジの締め直しが必要となることがあるが、このような場合にも作業を開始するまでに時間がかかりすぎるという問題があった。
【０００６】
本発明は、上記問題点を解消し、エアタンクを複数個設け、空気圧縮機から１個のエアタンクにのみ圧縮空気を充填して貯留できるように切り替えることにより、大量の圧縮空気が必要なときにも、少量の圧縮空気でも作業開始の時間を早めにしたいときにも対応することができるエアコンプレッサのエアタンク容量切替機構を提供することをその課題とする。
【課題を解決するための手段】
【０００７】
すなわち、本発明の請求項１に係る発明は、複数のエアタンクを備え、空気圧縮機によって上記エアタンクの中の１つのエアタンクに圧縮空気を貯留し、このエアタンクから他のエアタンクにエア供給管を介して圧縮空気を供給するとともに、上記エア供給管には、他のエアタンクに圧縮空気を供給し又は停止させる切替手段を設けたことを特徴とする。
【０００８】
請求項２に係る発明は、上記１つのエアタンクから圧縮空気を外部に送るためのエア送給管と上記エア供給管とを、上記１つのエアタンクに形成した共通のエア取出し口から分岐させ、上記切替手段を分岐したエア供給管に設けたことを特徴とする。
【発明の効果】
【０００９】
請求項１に係る発明は、複数のエアタンクを備え、空気圧縮機によって上記エアタンクの中の１つのエアタンクに圧縮空気を貯留し、このエアタンクから他のエアタンクにエア供給管を介して圧縮空気を供給するとともに、上記エア供給管には、他のエアタンクに圧縮空気を供給し又は停止させる切替手段を設けた構成であるから、釘を連続打ちするときとか、長いネジをねじ込むときなどのように、大量の圧縮空気を使用するときは、全てのエアタンクに圧縮空気を充填してから使用すればよい。これに対し、短時間で作業を開始したいときは、切替手段によって空気圧縮機から１個のエアタンクにのみ圧縮空気を貯留できるように切り替える。これにより、１個のエアタンクに圧縮空気が充填されるまでの時間は短時間で済み、作業開始の時間を早めて作業を早く終了することができる。
【００１０】
請求項２に係る発明は、上記１つのエアタンクから圧縮空気を外部に送するためのエア送給管と上記エア供給管とを、上記１つのエアタンクに形成した共通のエア取出し口から分岐させ、上記切替手段を分岐したエア供給管に設けたから、上記１つのエアタンクにエア送給管とエア供給管を個別に取り付けるための孔をあける必要がない。
【発明を実施するための最良の形態】
【００１１】
図１はエアコンプレッサの要部の平面図、図２は図１のＸ−Ｘ線上の断面図であり、図３は図１のＹ−Ｙ線上の断面図である。
【００１２】
上図において符号１、２はそれぞれ第１のエアタンクと第２のエアタンクを示す。２つのエアタンク１、２上には電動モータ３と電動モータ３によって作動する第１の空気圧縮機４と第２の空気圧縮機５とが配設されている。
【００１３】
上記エアコンプレッサは第１の空気圧縮機４と第２の空気圧縮機５とによって大気を２段階に圧縮して昇圧させる２段圧縮方式を採用しており、第１の空気圧縮機４によって大気を圧縮し、この一次圧の圧縮空気を空気管６を介して第２の空気圧縮機５に送り、この第２の空気圧縮機５によってさらに高圧の二次圧に圧縮し、二次圧の圧縮空気を別の空気管７を介して第１のエアタンク１に吐出して貯留するようになっている。
【００１４】
また、上記２つのエアタンク１、２上にはエア送給管８が配置され、このエア送給管８の一端は上記第１のエアタンク１に開口している。そして、上記エア送給管８は分岐し、その先端には高圧のエアチャック１０と常圧のエアチャック１１とが設けられている。釘打機、ねじ打ち機、ドライバなどの空気圧工具に駆動用の圧縮空気を送るには上記エアチャック１０、１１に連結したエアホースを介して上記空気圧工具に送ればよい。
【００１５】
なお、分岐した各エア送給管８にはレギュレータ（圧力調整器）１２とゲージ１３が設けられている。レギュレータ１２によって高圧と常圧を調整する。
【００１６】
このように、第１の空気圧縮機４と第２の空気圧縮機５とによって圧縮された圧縮空気は第１のエアタンク１に吐出されて貯留され、貯留された圧縮空気は必要に応じてエア送給管８を介してエアチャック１０、１１から空気圧工具等に供給される。
【００１７】
なお、上記空気圧縮機４、５と電動モータ３とは図示しないカバーによって覆われており、カバーに形成された空気導入口から取り入れた外気を冷却用ファン１８によってモータ３側に送り、冷却用ファン１８から送られた空気を回転羽根１９によってカバーの排気口から外部に排気させるように構成されている。
【００１８】
次に、第１のエアタンク１と第２のエアタンク２とはエア供給管１４を介して連結され、第１のエアタンク１内の圧縮空気はエア供給管１４を介して第２のエアタンク２に送られるように構成されている。なお、２０は第２のエアタンク２内の圧力を示す圧力計である。
【００１９】
上記エア供給管１４には切替弁（切替手段）１５が設けられている。この切替弁１５は第１のエアタンク１から第２のエアタンク２に圧縮空気を供給し又は停止させるものである。これにより、上記切替弁１５が開くことにより第１のエアタンク１内の圧縮空気はエア供給管１４により第２のエアタンク２に供給され、また、切替弁１５が閉じることにより第２のエアタンク２に対する圧縮空気の供給は停止する。この場合、圧縮空気は第１のエアタンク１にのみ貯留される。したがって、上記切替弁１５を開閉操作することにより、第１の空気圧縮機４と第２の空気圧縮機５とによって圧縮した圧縮空気を第１のエアタンク１のみに貯留することができるとともに、第１のエアタンク１と第２のエアタンク２に貯留することができる。つまり、エアタンク全体の容量を切り替えることができる。
【００２０】
なお、第１のエアタンク１には、圧縮空気を外部の空気圧工具等に送るためのエア取出し口と、第１のエアタンク１から第２のエアタンク２に圧縮空気を送るためのエア取出し口が必要となるが、上記第１のエアタンク１から圧縮空気を外部に送るためのエア送給管８と、第１のエアタンク１から第２のエアタンク２にエアを供給するためのエア供給管１４とを、共通のエア取出し口１６から分岐する構成としている。
【００２１】
上記構成によれば、上記切替弁１５の切替え操作により、圧縮空気を第１のエアタンク１のみに貯留することができるとともに、第１のエアタンク１と第２のエアタンク２に充填することができる。したがって、釘打機を連続打ちで使用したいときや、エアドライバで軸長の長いネジを使用するときなど、大量の圧縮空気を使用する場合は、切替弁１５を開いて第１のエアタンク１と第２のエアタンク２に圧縮空気を充填してから作業を開始すればよい。エアタンク全体の容量が大きくなるので、上記作業も余裕をもって行うことができる。
【００２２】
これに対し、作業終了後に釘の打ち直しやネジの締め直しが必要となった場合などのように、作業を短時間で再開したいようなときは、切替弁１５を閉じて第１のエアタンク１のみに圧縮空気を貯留して行えばよい。エアタンクの容量は小さくなるので、短時間で圧縮空気を充填することができ、作業の開始を迅速に行うことができる。
【００２３】
また、第１のエアタンク１から第２のエアタンク２にエアを供給するためのエア供給管１４とを、共通のエア取出し口１６から分岐する構成としている。
【００２４】
さらに、エア送給管８とエア供給管１４とを、第１のエアタンク１に成した共通のエア取出し口から分岐させる構成としたから、第１のエアタンク１にエア送給管８とエア供給管１４を個別に取り付けるための孔を穿孔する必要がない。エアタンクの湾曲面に貫通孔を形成し、ここに管を溶接等によって固定するのは技術的に難しいので、１個のエア取出し口１６に管を通すだけで済むので、コストを低く抑えることができる。
【００２５】
なお、上述の形態はエアタンクが２本の場合であるが、エアタンクは３本以上であってもよい。
【図面の簡単な説明】
【００２６】
【図１】本発明に係るエアコンプレッサの平面図
【図２】図１のＸ−Ｘ線上の断面図
【図３】図１のＹ−Ｙ線上の断面図
【符号の説明】
【００２７】
１    第１のエアタンク
２    第２のエアタンク
８    エア送給管
１４  エア供給管
１５  切替弁
【図１】
2008190334.tif 000003
【図２】
2008190334.tif 000004
【図３】
2008190334.tif 000005